(57)【特許請求の範囲】
【請求項１】
少なくとも一つ以上の電解質含浸用通孔が形成された板状のターミナル本体及びフランジ部からなる正極側の内部ターミナルを備えた電気エネルギー貯蔵装置であって、
前記ターミナル本体１４１の上面と前記フランジ部１４５のいずれか一面とがセル組立体９０と接触することで前記正極側の内部ターミナル１４０と前記セル組立体とが結合し、
前記ターミナル本体１４１の下面がケース１００の下端部の内面と接触し、
前記フランジ部１４５がターミナル固定用ビーディング部１０２によって加圧され、前記ケースの内部に正極側の内部ターミナル１４０が固定されることを特徴とする電気エネルギー貯蔵装置。
【請求項２】
前記フランジ部１４５が、前記ターミナル本体１４１の外周において上方へ延びるように形成されることを特徴とする請求項１に記載の電気エネルギー貯蔵装置。
【請求項３】
前記フランジ部１４５の一面が、前記ターミナル固定用ビーディング部１０２によって加圧され、前記フランジ部１４５の他面が、セル組立体９０によって支持されることで前記ケース１００の内部に密着して固定されることを特徴とする請求項２に記載の電気エネルギー貯蔵装置。
【請求項４】
前記フランジ部１４５は、前記フランジ部１４５の上端よりも前記ターミナル固定用ビーディング部１０２の上部縁端１０２ｂが高く位置し、前記ターミナル固定用ビーディング部１０２が前記フランジ部を加圧することを特徴とする請求項２に記載の電気エネルギー貯蔵装置。
【請求項５】
少なくとも一つ以上の電解質含浸用通孔が形成された板状のターミナル本体を有する正極側の内部ターミナルを備えた電気エネルギー貯蔵装置であって、
前記正極側の内部ターミナル１４０の前記ターミナル本体１４１の下面が、ケース１００の下端部の内面と接触し、前記ターミナル本体１４１の上面角１４１ａがターミナル固定用ビーディング部１０２によって加圧されて前記ケース１００の内部に固定され、
前記ターミナル本体１４１が、前記ケース１００の内部角によって押し上げられないよう、前記ターミナル本体１４１の下面角１４１ｂが面取り加工されたことを特徴とする電気エネルギー貯蔵装置。
【請求項６】
前記正極側の内部ターミナル１４０は、前記ターミナル固定用ビーディング部１０２の下部縁端１０２ｃと前記ケース１００の下端部の内面との間に位置することを特徴とする請求項５に記載の電気エネルギー貯蔵装置。
【請求項７】
前記ターミナル本体１４１が、ビーディング部の加工時、前記ターミナル本体１４１の上面角１４１ａによって前記ケース１００が破損することを防止するために、前記ターミナル本体１４１の上面角１４１ａが面取り加工されたことを特徴とする請求項５に記載の電気エネルギー貯蔵装置。
【発明の詳細な説明】
【技術分野】
【０００１】
本発明は、電気エネルギー貯蔵装置に関し、より詳しくは、金属ケースの内部でセル組立体の電極と接続する内部ターミナルの設置構造が改善された電気エネルギー貯蔵装置に関する。
【０００２】
本出願は、２０１５年１月１９日出願の韓国特許出願第１０−２０１５−０００８８０５号に基づく優先権を主張し、該当出願の明細書及び図面に開示された内容は、すべて本出願に援用される。
【背景技術】
【０００３】
次世代の電気エネルギー貯蔵装置として脚光を浴びている高静電容量貯蔵装置とは、キャパシタの一種であるウルトラキャパシタ（Ｕｌｔｒａ  Ｃａｐａｃｉｔｏｒ；ＵＣ）、スーパーキャパシタ（Ｓｕｐｅｒ  Ｃａｐａｃｉｔｏｒ；ＳＣ）、電気二重層キャパシタ（Ｅｌｅｃｔｒｉｃ  Ｄｏｕｂｌｅ  Ｌａｙｅｒ  Ｃａｐａｃｉｔｏｒ；ＥＤＬＣ）などをいい、これは、電解コンデンサーと二次電池との中間的特性を有するエネルギー貯蔵装置であって、高い効率と半永久的寿命特性によって二次電池との併用及び代用が可能なエネルギー貯蔵装置である。
【０００４】
高静電容量貯蔵装置は、メインテナンスが容易でなく、長期間の使用寿命が求められるアプリケーションに対しては、蓄電池の代わりに用いられることもある。高静電容量貯蔵装置は速い充放電特性を有し、これによって移動通信情報器機である携帯電話、ノートブックＰＣ、ＰＤＡなどの補助電源としてだけでなく、高容量が求められる電気自動車、夜間道路標識灯、ＵＰＳ（Ｕｎｉｎｔｅｒｒｕｐｔｅｄ  Ｐｏｗｅｒ  Ｓｕｐｐｌｙ）などの主電源または補助電源として非常に適し、このような用途でよく用いられている。
【０００５】
なお、高静電容量貯蔵装置は、小型化のために、図１に示したように円筒形状のものがよく用いられている。
【０００６】
図１を参照すれば、高静電容量貯蔵装置は、正極、負極、セパレータ及び電解質から構成され、内部ハウジングに入れられたセル組立体１と、前記セル組立体１を収容する金属ケース４と、金属ケース４の上部と下部に結合し、それぞれセル組立体１の負極と正極に接続する実質的な板状の負極側の内部ターミナル２及びと正極側の内部ターミナル３と、を含む。
【０００７】
負極側の内部ターミナル２は、絶縁部材６によって金属ケース４に対して絶縁されるとともに上板５と接触し、正極側の内部ターミナル３は、金属ケース４と接触する。上板５の中心及び金属ケース４の下端の中心には、端子部８、９が突出して形成されることが一般的である。
【０００８】
前記負極側の内部ターミナル２と上板５との結合と、正極側の内部ターミナル３と金属ケース４との結合は、通常、締結ボルト７によってなされる。ここで、特に、負極側の内部ターミナル２と上板５とは、それぞれの構造物が複雑であるだけでなく重さが重くて体積が大きいという問題があり、これに対する構造的な改善が必要である。
【０００９】
その代案として、負極側の内部ターミナル２及び正極側の内部ターミナル３は、金属ケース４へのビード（ｂｅａｄ）加工によって金属ケース４と結合し得る。因みに、負極側の内部ターミナル２及び正極側の内部ターミナル３の外周面に沿って所定の溝（Ｇｒｏｏｖｅ）（図示せず）を形成し、金属ケース４へのビード加工によって金属ケース４の内部に突出する突起部分が前記溝に嵌入するようにすることで内部ターミナルを金属ケース４に固定する工法が提案されている。
【００１０】
しかし、前記のようにビード加工を適用する方式は、ビード加工によって突出する部分の幅に対応するように内部ターミナル２、３の外周面に溝が形成されるべきであるため、内部ターミナル２、３の厚さを減らすのに制約があり、金属ケース４の内部空間の拡充が困難であるという不具合がある。金属ケース４の内部空間が充分確保されなければ、内圧が高くなるという問題が発生するようになる。
【００１１】
高静電容量貯蔵装置は、常温で過充電や過放電、過電圧のような異常動作時に電解質と電極との界面で副反応が進み、これによる副産物として気体が発生するようになる。このように気体が発生して内部に蓄積されれば、金属ケース４の内部圧力が持続的に増加し、結局は金属ケース４が膨らむか、金属ケース４における弱い部分で気体が急激に排出されながら爆発が発生するようになる。
【００１２】
金属ケース４が膨らむ現象に係わり、金属ケース４の上端には、上板５の方向へ曲げられるように形成されたカール（ｃｕｒｌ）加工部１０が設けられ、カール量の調節によって耐圧性能の強化を成し得る。しかし、耐圧性能の強化のためには、金属ケース４の内部空間を十分確保することが非常に重要であるため、カール加工部１０を備えるだけでは耐圧性能の改善に限界がある。
【発明の概要】
【発明が解決しようとする課題】
【００１３】
本発明は、上記問題点に鑑みてなされたものであり、薄型に簡素化した構造の内部ターミナルを金属ケースの内部に備えることができるよう、内部ターミナルを金属ケースに設ける構造が改善された電気エネルギー貯蔵装置を提供することを目的とする。
また、本発明は、金属ケースの内部空間を充分確保して内圧を低めることができる構造を有する電気エネルギー貯蔵装置を提供することを他の目的とする。
また、本発明は、内部ターミナルの外周端が金属ケースの内壁に密着して低抵抗特性を有する電気エネルギー貯蔵装置を提供することをさらに他の目的とする。
【課題を解決するための手段】
【００１４】
上記の課題を達成するため、本発明は、少なくとも一つ以上の電解質含浸用通孔が形成された板状のターミナル本体とフランジ部からなる正極側の内部ターミナルを備えた電気エネルギー貯蔵装置であって、前記ターミナル本体の上面と前記フランジ部のいずれか一面とがセル組立体と接触することで前記正極側の内部ターミナルと前記セル組立体とが結合し、前記ターミナル本体の下面がケースの下端部の内面と接触し、前記フランジ部がターミナル固定用ビーディング部によって加圧され、前記ケースの内部に正極側の内部ターミナルが固定されることを特徴とする電気エネルギー貯蔵装置を提供する。
【００１５】
前記フランジ部は、前記ターミナル本体の外周において上方へ延びるように形成され得る。
【００１６】
本発明による電気エネルギー貯蔵装置は、前記フランジ部の一面が、前記ターミナル固定用ビーディング部によって加圧され、前記フランジ部の他面が、セル組立体によって支持されることで前記ケースの内部に密着して固定され得る。
本発明による電気エネルギー貯蔵装置は、前記フランジ部の上端よりも前記ターミナル固定用ビーディング部の上部縁端が高く位置し、前記ターミナル固定用ビーディング部が前記フランジ部を加圧し得る。
【００１７】
本発明の他面によれば、少なくとも一つ以上の電解質含浸用通孔が形成された板状のターミナル本体を有する正極側の内部ターミナルを備えた電気エネルギー貯蔵装置であって、前記正極側の内部ターミナルの前記ターミナル本体の下面が、ケースの下端部の内面と接触し、前記ターミナル本体の上面角がターミナル固定用ビーディング部によって加圧されて前記ケースの内部に固定されることを特徴とする電気エネルギー貯蔵装置が提供される。
【００１８】
前記正極側の内部ターミナルは、前記ターミナル固定用ビーディング部の下部縁端と前記ケースの下端部の内面との間に位置し得る。
【００１９】
前記ターミナル本体の上面角または下面角は、面取り加工され得る。
【発明の効果】
【００２０】
本発明によれば、電気エネルギー貯蔵装置は、次のような効果を奏する。
【００２１】
第一、内部ターミナルの外周面にビーディング用溝を形成しなくてもよいので、内部ターミナルを既存のものに比べて薄型に製作することができる。
【００２２】
第二、内部ターミナルの外周端を金属ケースの内壁に容易に密着させることで低抵抗特性を向上させることができる。
【００２３】
第三、フランジ部が上方に向かうように正極側の内部ターミナルを配置可能であるため、金属ケースの内部空間がより広く確保されることによって電気エネルギー貯蔵容量を増大させることができる。
【００２４】
第四、内部ターミナルの構造を薄い板状体に単純化可能となることから、プレス加工によって内部ターミナルを製作できるため、製造コストを節減することができる。
【図面の簡単な説明】
【００２５】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００２６】
【図１】従来技術による電気エネルギー貯蔵装置の構成を示した断面図である。
【図２】本発明の一実施例による電気エネルギー貯蔵装置の外観を示した斜視図である。
【図３】図２の断面図である。
【図４】図３における正極側の内部ターミナルの構成を示した斜視図である。
【図５】本発明の他の実施例による電気エネルギー貯蔵装置の構成を示した部分拡大断面図である。
【図６】図５における正極側の内部ターミナルの構成を示した斜視図である。
【図７】図５における正極側の内部ターミナルの上面角が面取り加工された変形例を示した断面図及び部分拡大図である。
【図８ａ】図７における正極側の内部ターミナルの構成を示した斜視図である。
【図８ｂ】図８ａの変形例であって、正極側の内部ターミナルの下面角が面取り加工された正極側の内部ターミナルを示した斜視図である。
【発明を実施するための形態】
【００２７】
図２は、本発明の望ましい実施例による電気エネルギー貯蔵装置の外観を示した斜視図であり、図３は、図２の断面図である。
【００２８】
図２及び図３を参照すれば、本発明の望ましい実施例による電気エネルギー貯蔵装置は、セル組立体９０と、前記セル組立体９０を収容する円筒状の金属ケース１００と、金属ケース１００の上部に位置する負極側の外部ターミナル１１０と、前記負極側の外部ターミナル１１０の内側に配置され、前記セル組立体９０の負極に接続する負極側の内部ターミナル１１１と、金属ケース１００の下端部に設けられた正極側の外部ターミナル１５０と、前記正極側の外部ターミナル１５０の内側に配置されて前記セル組立体９０の正極に接続する正極側の内部ターミナル１４０と、前記金属ケース１００に形成され、ターミナル固定機能を提供するターミナル固定用ビーディング部１０１、１０２と、を含む。
【００２９】
前記セル組立体９０は、正極、負極、セパレータ及び電解質から構成され、電気化学的エネルギー貯蔵機能を提供する。このようなセル組立体９０としては、通常のゼリー・ロール（Ｊｅｌｌｙ  ｒｏｌｌ）形態のセルが採用可能である。
【００３０】
金属ケース１００は、巻取素子の形態で加工された後、内部ハウジングに収納された前記セル組立体９０を収容できる内部空間が形成された円筒状の本体を有する。望ましくは、金属ケース１００は、アルミニウム円筒の形態であり得る。また、円筒状の本体の上面または下面のいずれには、円筒状の本体を閉鎖する下端部が形成されている。したがって、円筒状の本体と下端部から構成される金属ケース１００の構造によってセル組立体９０が収容可能となる。また、前記下端部の一部には、外部に突出した正極側の外部ターミナル１５０が設けられる。
【００３１】
負極側の外部ターミナル１１０は、金属ケース１００の上端部を覆うとともに電流の移動経路を提供し、金属ケース１００の内周面に対応する円形の外周面を有し、その上面と下面は多様な３次元形状から構成できる。負極側の外部ターミナル１１０の縁端は、絶縁部材１３０を挟んでカール加工部と隣接する。
【００３２】
負極側の外部ターミナル１１０の中心には、厚さ方向へ延びた貫通孔１１３が形成される。貫通孔１１３は、例えば、自動復帰型の安全弁１２０を設けるための空間として用いられることに加え、電解質を注入するための通路及び真空作業のためのエアベント（Ａｉｒ  Ｖｅｎｔ）としても用いられる。
【００３３】
負極側の外部ターミナル１１０は、金属ケース１００へのビード加工（ｂｅａｄｉｎｇ）によって金属ケース１００に固定される。そこで、負極側の外部ターミナル１１０に対応する金属ケース１００の側面には、ターミナル固定用ビーディング部１０１が形成される。
【００３４】
負極側の内部ターミナル１１１は、負極側の外部ターミナル１１０の下部に配置され、セル組立体９０の負極に接続する。
【００３５】
正極側の内部ターミナル１４０のターミナル本体１４１の上面及びフランジ部１４５の一部がセル組立体９０と接触するよう、正極側の内部ターミナル１４０をセル組立体９０に固定する。正極側の内部ターミナル１４０は、下面が金属ケース１００の下端部の内面に接触するように金属ケース１００の内部に配置されることで正極側の外部ターミナル１５０と接触し、上面はセル組立体９０の正極に接続される。前記金属ケース１００の下端部の内面は、金属ケース１００の内部底面を形成する。
【００３６】
図４に示したように、正極側の内部ターミナル１４０は、厚さが薄くて平坦な板状のターミナル本体１４１と、ターミナル本体１４１の外周端が前記ターミナル本体１４１の平面に対して垂直に上方へ延びて形成されたフランジ部１４５と、前記ターミナル本体１４１に形成された複数の電解質含浸用通孔１４２と、を備える。このような正極側の内部ターミナル１４０は、金属ケース１００の内部に突出したターミナル固定用ビーディング部１０２によってフランジ部１４５が加圧されることで金属ケース１００に固定される。
【００３７】
ターミナル本体１４１は、円形の外周を有し、ビード加工によって金属ケースに固定される既存の内部ターミナルとは相違に外周面に溝のない薄い板状体からなる。ターミナル本体１４１は、金属ケース１００の下端部の内面と面接触を成すように配置される。
【００３８】
電解質含浸用通孔１４２は、ターミナル本体１４１を厚さ方向に貫通するように形成され、電解質注入工程の際、液状電解質の移動通路を提供する。電解質の均一な移動のために、複数の電解質含浸用通孔１４２の多くは、ターミナル本体１４１の円周方向に沿って等間隔で形成され、いずれか一つはターミナル本体１４１の中心に形成されることが望ましい。
【００３９】
正極側の内部ターミナル１４０は、ビード加工によって金属ケース１００の下側に形成されるターミナル固定用ビーディング部１０２及びセル組立体９０によって金属ケース１００内に固定される。ビード加工が完了したとき、正極側の内部ターミナル１４０は、金属ケース１００の内部に突出したターミナル固定用ビーディング部１０２によってフランジ部１４５が加圧されて金属ケース１００内に堅固に固定される。
【００４０】
具体的に、正極側の内部ターミナル１４０は、フランジ部１４５の一面がターミナル固定用ビーディング部１０２の突出部分によって加圧され、フランジ部１４５の他面がセル組立体９０によって支持されることで金属ケース１００の内部に密着して固定される。効果的な加圧固定のために、ターミナル固定用ビーディング部１０２の上部縁端１０２ｂの高さは、フランジ部１４５の上端高さによりも高く設計することが望ましい。ここで、ターミナル固定用ビーディング部１０２の上部縁端１０２ｂ及び下部縁端１０２ｃは、金属ケース１００の内部面においてターミナル固定用ビーディング部１０２の突出が始まる地点であって、ターミナル固定用ビーディング部１０２の溝部分の上端及び下端にそれぞれ対応する。
【００４１】
図５には、本発明の他の実施例による電気エネルギー貯蔵装置の構成が示されており、図６には、図５において正極側の内部ターミナル１４０の構成が詳しく示されている。図示したように、正極側の内部ターミナル１４０は、円形の外周を有する薄い板状体から構成され、ターミナル固定用ビーディング部１０２の突出端部１０２ａと内部ターミナルの支持面である金属ケース１００の下端部の内面との間の区間Ａに配置され、ターミナル固定用ビーディング部１０２によって固定される。この際、正極側の内部ターミナル１４０のターミナル本体１４１の下面は、金属ケース１００の下端部の内面と接触し、ターミナル本体１４１の上面角１４１ａがターミナル固定用ビーディング部１０２によって加圧されて金属ケース１００の内部に固定される。ターミナル本体１４１の上面角１４１ａの反対側には下面角１４１ｂがある。ここで、正極側の内部ターミナル１４０は、ターミナル固定用ビーディング部１０２の第２縁端１０２ｃと金属ケース１００の下端部の内面との間に配置されることが望ましい。
【００４２】
正極側の内部ターミナル１４０がターミナル固定用ビーディング部１０２の第２縁端１０２ｃと金属ケース１００の下端部の内面との間に配置される場合、正極側の内部ターミナル１４０は、その厚さｔがターミナル固定用ビーディング部１０２の第２縁端１０２ｃと金属ケース１００の下端部の内面との間の高さと等しく設計されることで、薄型で構成されるとともに、上下方向への動きが効果的に防止できる。
【００４３】
図７には、図５の正極側の内部ターミナルの変形例が示されている。図７に示したように、金属ケース１００の下部内側に対する正極側の内部ターミナル１４０の取付性を確保するとともに、接触信頼性を高めるために正極側の内部ターミナル１４０の上面角はＣ１．８以上の面取り加工またはＲ１．５以上のラウンド処理され得る。
【００４４】
これについて、図８ａには正極側の内部ターミナル１４０の上面角１４１ａが面取り加工された例が示されている。図８ａに示したように、正極側の内部ターミナル１４０の上面角１４１ａを面取り加工して第１曲面部１４３を形成すれば、金属ケース１００の内部に正極側の内部ターミナル１４０を固定するためのビード加工時、金属ケース１００の内部面が正極側の内部ターミナル１４０の上面角１４１ａによって損傷または破損することを防止することができ、正極側の内部ターミナル１４０とターミナル固定用ビーディング部１０２との接触面積が広くなり、金属ケース１００の内部に正極側の内部ターミナル１４０を確実に固定することができる。
【００４５】
また、図８ｂには、図８ａとは逆に正極側の内部ターミナル１４０の下面角１４１ｂが面取り加工された例が示されている。図８ｂに示したように、正極側の内部ターミナル１４０の下面角１４１ｂを面取り加工して第２曲面部１４４を形成すれば、正極側の内部ターミナル１４０が金属ケース１００の側面と下端部の内面とが変わる内部角によって押して上げられて金属ケース１００の底面との接触不良が発生する現象を防止することができる。
【００４６】
したがって、図８ａのように正極側の内部ターミナル１４０の上面角１４１ａが面取り加工されてエネルギー貯蔵装置に適用されるか、図８ｂのように正極側の内部ターミナル１４０の下面角１４１ｂが面取り加工されてエネルギー貯蔵装置に適用され得る。また、上面角１４１ａと下面角１４１ｂとが面取り加工された正極側の内部ターミナル１４０をエネルギー貯蔵装置に適用することも可能である。
【００４７】
上述したように本発明の望ましい実施例による電気エネルギー貯蔵装置は、金属ケース１００の下端部の内面の上に正極側の内部ターミナル１４０を配置した状態で正極側の内部ターミナル１４０のフランジ部１４５の高さまたはターミナル本体１４１の高さに合わせて金属ケース１００の外部でビード加工を行うことで、正極側の内部ターミナル１４０を便利に金属ケース１００に固定することができる。この際、正極側の内部ターミナル１４０は、フランジ部１４５または上面角１４１ａが、ビード加工によって金属ケース１００の内部に突出したターミナル固定用ビーディング部１０２によって加圧されるため、別途のビーディング用溝がその外周面に形成されていないとしても金属ケース１００の内部面に堅固に固定できる。
【００４８】
前記のような配置構造によって正極側の内部ターミナル１４０は既存に比べて簡単な構造を有した薄型に製作することができるため、金属ケース１００の内部空間を充分確保できる。これによって、金属ケース１００の内圧を低めることができるため、電気エネルギー貯蔵装置の安定性及び寿命を向上させることができる。また、正極側の内部ターミナル１４０をターミナル固定用ビーディング部１０２の周辺に広い接触面積で密着させることで、低抵抗特性を向上させることができる。
【００４９】
以上、本発明の望ましい実施例を添付の図面を参照して説明したが、本発明に記載の実施例と図面に示した構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【産業上の利用可能性】
【００５０】
本発明を適用すれば、高静電容量貯蔵装置を、小型、軽量化することができるだけでなく、電解質の含浸工程の時間を短縮させることができ、高静電容量貯蔵装置の内部空間を充分確保して内圧を低めることで安定性及び寿命を向上させることができる。
【図１】
0006522765.tif 000002
【図２】
0006522765.tif 000003
【図３】
0006522765.tif 000004
【図４】
0006522765.tif 000005
【図５】
0006522765.tif 000006
【図６】
0006522765.tif 000007
【図７】
0006522765.tif 000008
【図８ａ】
0006522765.tif 000009
【図８ｂ】
0006522765.tif 000010